(57)【要約】【課題】管理対象となるディスプレイの種類や使用する輝度計の種類の任意の組み合わせに対応可能で、常に正確な輝度測定結果を得ることが可能なディスプレイの輝度測定方法を提供すること。さらに、環境光の明るさに依存する輝度測定値のずれに対しては、ＤＩＣＯＭに規定されるＧＳＤＦに対応させるための、所定の環境光有りの状態に補正することが可能なディスプレイの輝度測定方法を提供すること。【解決手段】測定対象となるディスプレイの種類に起因する輝度測定値の校正を、使用する輝度計の種類に応じて行うことを特徴とするディスプレイの輝度測定方法。また、上記校正に加えて、ディスプレイの設置環境に基づく環境光の明るさに依存する輝度測定値のずれの補正も、使用する輝度計の種類に応じて行うことを特徴とするディスプレイの輝度測定方法。【選択図】図１
2004239663.tif 000002
【特許請求の範囲】
【請求項１】
輝度計を用いてディスプレイの輝度を測定するディスプレイの輝度測定方法において、
測定対象となるディスプレイの種類に起因する輝度測定値の校正を、使用する輝度計の種類に応じて行うことを特徴とするディスプレイの輝度測定方法。
【請求項２】
前記校正に加えて、
前記ディスプレイの設置環境に基づく環境光の明るさに依存する輝度測定値の補正を、輝度計の種類に応じて行うことを特徴とする請求項１に記載のディスプレイの輝度測定方法。
【請求項３】
前記ディスプレイの種類に起因する輝度測定値の校正は、測定対象となるディスプレイの種類の組み合わせ毎に、予め用意した補正テーブルに基づいて行うことを特徴とする請求項１または２に記載のディスプレイの輝度測定方法。
【請求項４】
前記環境光の明るさに依存する輝度測定値の補正では、ＤＩＣＯＭに規定されるＧＳＤＦ（グレイスケール標準表示関数）に対応させるための、所定の環境光有りの状態に補正することを特徴とする請求項２または３に記載のディスプレイの輝度測定方法。
【発明の詳細な説明】
【０００１】
【発明の属する技術分野】
本発明はディスプレイの輝度測定方法に関し、より詳細には、後述するディスプレイのＱＣにおいて、管理対象となるディスプレイの種類や使用する輝度計の種類の任意の組み合わせに対応可能で、常に正確な輝度測定結果を得ることを可能とするディスプレイの輝度測定方法に関する。
【０００２】
【従来の技術】
従来から、医療診断の分野においては、Ｘ線等を利用した種々の診断用画像生成装置が用いられている。これらは、被写体を透過したＸ線を検出して、画像を形成し、この画像を医療診断に供するものである。例えば、古くから用いられているＸ線単純撮影画像に加えて、近年は、ＣＲ（コンピューテッド・ラジオグラフィ）装置，ＣＴ（コンピュータ断層像撮影）装置，ＭＲＩ（磁気共鳴像撮影）装置等が実用に供されている。これらの装置によって生成された画像は、例えばＣＲＴディスプレイ，ＬＣＤ（液晶表示装置）に表示されたり、ＬＢＰ（レーザビーム・プリンタ）等によってフィルム上に出力されたりして、医療現場において診断に利用されている。
【０００３】
また、コンピュータ技術の進展に伴い、Ｘ線診断装置等の医療診断装置においても、デジタル化が進んでいる。すなわち、被写体を透過したＸ線の情報をデジタル信号とし、これにデジタル信号処理を施して、診断により適した画像を生成しようとするものである。さらに、近年の通信技術，コンピュータ技術の高度化に伴い、上述のような種々の医療診断装置をネットワークに接続して、病院内等において、コンピュータを用いたネットワークが構築されるに至っている。
【０００４】
ところで、誤診断を防止するためには、上記医療診断装置は厳密な表示性能が要求される。そこで、これら医療診断装置の品質管理（具体的には、画像読取り装置による読取り画像の画質管理，表示装置の画質管理，プリント出力画像の画質管理等）が重要となる。
【０００５】
例えば、Ｘ線画像を表示するＣＲＴ，ＬＣＤを始めとする、いわゆるソフトコピー・デバイス（表示出力装置）の品質（表示画像の輝度，解像度等の画質）は、例えばＳＭＰＴＥパターンのような種々の画質・特性が総合的に確認可能なテストパターン等を用いた視覚評価によって確認することができる。
【０００６】
これをさらに進めたものとして、上述のような表示出力装置（表示装置）における表示画像の品質管理を標準化しようとするディスプレイのＱＣ（狭義の品質管理）が提案されている。ここでは、工場出荷時からのディスプレイの性能の変化を継続的に把握するようにして、ディスプレイの品質の変化を監視することで品質の低下を早期に発見することが可能になり、また、必要に応じて適切な処置をとることが可能になる。
【０００７】
ディスプレイのＱＣにおいては、通常、輝度と階調の変化が測定されるが、実際には、ディスプレイに、例えばＤＩＣＯＭ（米国で開発された医用画像と通信の標準規格）等に規定されるテストパターンを表示させて、その各グレイスケールステップの輝度を測定して、この測定結果を基に所定の計算式等により、種々の特性を求めるようになっている。
【０００８】
【発明が解決しようとする課題】
ディスプレイの輝度の測定には輝度計が用いられるが、この輝度計には測定視野角のきわめて狭い望遠型と呼ばれるタイプと、ディスプレイ表面に接触させて測定を行う接触型と呼ばれるタイプとの２種類のものがあり、これらは価格に大きな差があるだけでなく、その特性にも大きな差があるものである。
【０００９】
すなわち、上述の２種類の輝度計によってディスプレイの輝度を測定する場合、ＣＲＴであればその視野角特性が小さいため、接触型の輝度計でも望遠型の輝度計とほぼ同じ測定値が得られる。しかしながら、ＬＣＤの場合には、ＣＲＴで通常用いられている接触型の輝度計で測定を行うと、輝度計の測定角の大きさおよびＬＣＤの視野角特性に起因して、正確な測定を行うことができない。
【００１０】
図７（ａ），（ｂ）に、それぞれ、ＬＣＤとＣＲＴの輝度を、接触型の輝度計と望遠型の輝度計により測定した結果を比較したもので、横軸は望遠型の輝度計による測定値を、縦軸は接触型の輝度計による測定値と望遠型の輝度計によ測定値との比を示している。図７（ｂ）に示すように、ＣＲＴでは、広範囲にわたって接触型の輝度計と望遠型の輝度計による測定値が一致するが、図７（ａ）に示すＬＣＤでは、接触型の輝度計による測定値が低輝度側で大きくずれてしまうという結果になる。
【００１１】
従って、ディスプレイのＱＣにおいて正確な輝度測定結果を得るため、ひいては正確なＱＣを実施するためには、管理対象となるディスプレイの種類（ＣＲＴか、ＬＣＤか），使用する輝度計の種類（接触型か、望遠型か）に応じて、得られる測定値に適切な補正を加えることが是非とも必要である。
【００１２】
さらに、ディスプレイの設置環境に基づく環境光（周囲光，外光などとも呼ばれる）の影響を極力排除して、上述の要因以外に起因する輝度測定値のずれが生じないようにすることも必要であり、また、やむを得ず生じる環境光に起因する測定値のずれに対しては、これに対しても、測定値に適切な補正を加えることが必要である。
【００１３】
本発明は、上記事情に鑑みてなされたもので、その目的とするところは、管理対象となるディスプレイの種類や使用する輝度計の種類の任意の組み合わせに対応可能で、常に正確な輝度測定結果を得ることが可能なディスプレイの輝度測定方法を提供することにある。
【００１４】
また、本発明の他の目的は、これ以外にも、ディスプレイの設置環境に基づく環境光の明るさに起因する測定値のずれに対しても、測定値に適切な補正を加えることが可能なディスプレイの輝度測定方法を提供することにある。
【００１５】
【課題を解決するための手段】
上記目的を達成するため、本発明に係るディスプレイの輝度測定方法は、輝度計を用いてディスプレイの輝度を測定するディスプレイの輝度測定方法において、測定対象となるディスプレイの種類に起因する輝度測定値の校正を、使用する輝度計の種類に応じて行うことを特徴とする。
【００１６】
また、本発明に係るディスプレイの輝度測定方法は、上記校正に加えて、上記ディスプレイの設置環境に基づく環境光の明るさに依存する輝度測定値の補正を、輝度計の種類に応じて行うことを特徴とすることを特徴とする。
【００１７】
なお、本発明に係るディスプレイの輝度測定方法においては、上記ディスプレイの種類に起因する輝度測定値の校正は、測定対象となるディスプレイの種類の組み合わせ毎に、予め用意した補正テーブルに基づいて行うことが好ましい。
【００１８】
また、本発明に係るディスプレイの輝度測定方法においては、上記環境光の明るさに依存する輝度測定値の補正では、ＤＩＣＯＭに規定されるＧＳＤＦに対応させるための、所定の環境光有りの状態に補正することが好ましい。
【００１９】
【発明の実施の形態】
以下、添付の図面に基づいて、本発明の実施の形態を詳細に説明する。
【００２０】
上述のように構成される本発明に係るディスプレイの輝度測定方法は、基本的には、輝度値校正と、環境光の明るさに依存する輝度測定値の補正（以下、これをＬａｍｂ  補正という）とを、図２に示すように組み合わせて考えることが特徴である。
【００２１】
この図の意味するところは、輝度値校正もＬａｍｂ  補正も行わないデータは、測定データそのものであるが、輝度値校正は行わず、Ｌａｍｂ  補正のみを行ったデータは、測定データにＬａｍｂ  補正値が加算されたデータになり、また、輝度値校正は行うが、Ｌａｍｂ  補正は行わないデータは、校正値になるというように、切り分けが明確になることである。
【００２２】
以上の説明を、下記のように表わすことができる。
Ｌ’＝ｆ（Ｌ）＋Ｌａｍｂ
但し、ここで、
Ｌ’：補正後の輝度値
ｆ（Ｌ）：輝度値校正手段による補正関数
Ｌａｍｂ  ：環境光の明るさに依存する輝度測定値の補正量
【００２３】
医療画像については、前述のように、ＤＩＣＯＭに種々の規定がなされており、観察用画像の階調についても、ＧＳＤＦとして規定されるＰＬ（Ｐｅｒｃｅｐｔｕａｌ  Ｌｉｎｅａｒ  ：人間の視覚の線形）と呼ばれる特性に再現（表示）することが求められる。
【００２４】
そこで、測定データを、上述のＰＬ特性に合わせるようにするために、本発明に係るディスプレイの輝度測定方法では、図２に示した考え方に基づいて、具体的な測定データの処理（補正）方法を、図１に示すような形にすることを提案するものである。
【００２５】
図１の意味するところは、左から、ディスプレイの種類（具体的には、ＣＲＴか、ＬＣＤか），輝度計の種類（望遠型か、接触型か），測定環境条件（明室か、それ以外か）といった測定環境毎に、前述の輝度値校正およびＬａｍｂ  補正をどのように適用するかをテーブル化したものである。
【００２６】
ここで、各測定環境について補足説明しておく。
ディスプレイの種類は、上述のように、ＣＲＴかＬＣＤかに大別してあるだけであるが、これ以外のタイプが出現した場合でも、その特性に応じて、新たな行を追加するか、既存の行内に新たなタイプを加えるかの処置で対応することが可能ある。
【００２７】
同様に、輝度計の種類も、望遠型か接触型かに分類してあるだけであるが、特に接触型の場合には、環境光の影響を大きく受けるタイプとか、それ程でもないタイプというように、そのタイプ内でも特性に差があるケースもあるので、場合によっては、さらに細分することも考えられる。
【００２８】
次に、測定環境条件については、最も一般的な明室環境（これは、診察室等の蛍光灯照明下の部屋を指す）と、それ以外の、測定のために一時的に設定する暗室（部屋全体を照明されない状況に置くものから、測定部分のみを一時的に遮光状態に置くものまで）を含めて考えている。前者の場合には、照明をオフにすれば足りる場合、さらに、暗幕（遮光用のカーテン）を引く場合等が挙げられ、後者の場合には、測定部分のみを一時的に遮光状態に置くために、後述するような種々の構成が挙げられる。
【００２９】
以下、各ケースについて、より具体的に説明することにする。
▲１▼のケースは、望遠型の輝度計を用いる、ディスプレイの種類は問わないケースで、測定環境条件も明室というケースである。このような条件下での測定でーたは、輝度値校正およびＬａｍｂ  補正を行わなくても、測定データそのままを測定値として、次工程に送り、階調調整の演算等に用いることができる。
【００３０】
具体的な、測定状況を図３に示す。
図３に示すように、ＣＲＴ（または、ＬＣＤ）３１の表面に向けて望遠型の輝度計３２をセットして、ＣＲＴ（または、ＬＣＤ）３１の表面からの入射光をダイレクトに測定するというものである。この場合、照明を含む外光は、上述の入射光中に含まれる。
【００３１】
次に、▲２▼のケースであるが、これも望遠型の輝度計を用いる、ディスプレイの種類は問わないケースではあるが、測定環境条件が暗室というケースである。この場合には、輝度そのものの測定には、何ら問題はないが、前述のようなＰＬ特性への変換を前提とする場合には、ここでの測定データに対して、Ｌａｍｂ  補正を行うことが必要となる。補正後のデータの使用については、ケース▲１▼と同様である。
【００３２】
具体的な、測定状況を図４に示す。
図４に示すように、ＣＲＴ（または、ＬＣＤ）４１の表面に向けて望遠型の輝度計４２をセットするが、この際、測定環境を暗室にする必要があるわけである。もちろん、全体を暗室にしてもよいが、望遠型の輝度計４２とＣＲＴ（または、ＬＣＤ）４１の表面との間に、図４に示すような遮光筒４３を介在させるという方法も効果的である。
【００３３】
ここで、遮光筒４３は、遮光性の材料で構成した筒状体であり、特にその内面は反射防止処理を施したものが好ましい。この場合にも、ＣＲＴ（または、ＬＣＤ）４１からの入射光を、上記遮光筒４３を介してダイレクトに測定する。この場合には、照明を含む外光は、上述の入射光中に含まれないので、Ｌａｍｂ  補正を行うことが必要となることは前述の通りである。
【００３４】
▲３▼のケース以降は、接触型の輝度計を用いるケースである。前述の通り、接触型の輝度計は、ディスプレイの表面に接触させて用いられることから、特に、この、▲３▼のケースで対象としているＣＲＴの場合は、センサ部の遮光はよくなされており、暗室とみなせる状態で測定されていると考えられる。従って、通常は、輝度値校正は不要と考えられるが、接触型の輝度計には誤差の大きなものもあることから、その場合には輝度値校正が必要になる。
【００３５】
また、この場合も、暗室とみなせる状態での測定であることから、輝度そのものの測定には、何ら問題はないが、前述のようなＰＬ特性への変換を前提とする場合には、ここでの測定データに対して、Ｌａｍｂ  補正を行うことが必要となる。補正後のデータの使用については、ケース▲１▼と同様である。
【００３６】
具体的な、測定状況を図５に示す。
図５に示すように、ＣＲＴ５１の表面に接触型の輝度計５２をセットするが、この際、輝度計５２の、ＣＲＴ５１の表面と接触する部分に、遮光性を有するパッド（例えば、黒色のスポンジ性のリングなど）５３を介在させることが好ましい。これにより、ＣＲＴ５１と輝度計５２との接触部分からの環境光の侵入を防止して、測定の精度を向上させることができる。
【００３７】
▲４▼のケースは、ＬＣＤの輝度測定に、接触型の輝度計を用いるケースである。この場合には、前述のような理由（図７（ａ）参照）で、輝度測定データの誤差が大きいので、輝度値構成は必須である。また、▲３▼のケースと同様の理由で、Ｌａｍｂ  補正を行うことが必要となる。補正後のデータの使用については、ケース▲１▼と同様である。
【００３８】
具体的な、測定状況を図６に示す。
図６に示すように、ＬＣＤ６１の表面に接触型の輝度計６２をセットするが、この際にも、輝度計６２の、ＬＣＤ６１の表面と接触する部分に、遮光性を有するパッド（例えば、黒色のスポンジ性のリングなど）６３を介在させることが好ましい。但し、ケース▲３▼のＣＲＴ５１の場合と異なり、輝度計６２をＬＣＤ６１の表面に強く押圧することは好ましくないので、上述のパッド６３としては、両者間の接触面積（すなわち、ＬＣＤ６１の表面に沿った、遮光に効く厚さ）を大きくすることが好ましい。
【００３９】
次に、環境光の測定方法について説明する。前述のように、環境光の測定は、ディスプレイのキャリブレーションを行う際に必要となる。この測定には望遠型の輝度計を用いることが好ましい。望遠型の輝度計がない（望遠型の輝度計を有し低ないユーザの）場合には、当該システムのサービスマン等が、持参して測定サービスを行うようにすることが好ましい。
【００４０】
これ以外の方法、すなわち、望遠型の輝度計を用いない方法としては、接触型の輝度計を用いて、ディスプレイのパワーをオフにした状態で、環境光の有・無の両条件（例えば、遮光カーテンを開閉する等）で輝度測定を行い、その差分を取る方法が利用可能である。
【００４１】
なお、上記実施形態は本発明の一例を示したものであり、本発明はこれに限定されるべきものではなく、本発明の要旨を逸脱しない範囲内において適宜の変更または改良を行ってもよいことはいうまでもない。
【００４２】
例えば、日常的なディスプレイのＱＣを行うためには、接触型の輝度計で測定可能な値のみを用いて測定を継続し、その変化を観察することで、目的を達成することが可能であることはいうまでもない。
【００４３】
【発明の効果】
以上、詳細に説明したように、本発明によれば、管理対象となるディスプレイの種類や使用する輝度計の種類の任意の組み合わせに対応可能で、常に正確な輝度測定結果を得ることが可能なディスプレイの輝度測定方法を実現できるという効果が得られるばかりでなく、ディスプレイの設置環境に基づく環境光の明るさに起因する測定値のずれに対しても、測定値に適切な補正を加えることが可能なディスプレイの輝度測定方法を実現できるという効果が得られる。
【図面の簡単な説明】
【図１】図２に示した考え方に基づく、実施形態を示す図である。
【図２】本発明の基本的な考え方を説明する図である。
【図３】測定状況の説明図（その１）である。
【図４】測定状況の説明図（その２）である。
【図５】測定状況の説明図（その３）である。
【図６】測定状況の説明図（その４）である。
【図７】（ａ），（ｂ）は、ＬＣＤとＣＲＴの輝度を、接触型の輝度計と望遠型の輝度計により測定した結果を比較した結果のグラフである。
【符号の説明】
３１，４１，５１  ＣＲＴ
３２，４２  望遠型の輝度計
４３  遮光筒
５２，６２  接触型の輝度計
５３，６３  遮光パッド
６１  ＬＣＤ
【図１】
2004239663.tif 000003
【図２】
2004239663.tif 000004
【図３】
2004239663.tif 000005
【図４】
2004239663.tif 000006
【図５】
2004239663.tif 000007
【図６】
2004239663.tif 000008
【図７】
2004239663.tif 000009